(57)【特許請求の範囲】
【請求項１】
所定期間の日付を表す数字が順番に記された暦台紙と、この暦台紙に脱離可能に保持され内部に薬剤または健康補助食品を収容した複数個の包装材とからなり、
前記各包装材が、前記暦台紙の各数字表示部分に当該各数字を覆うように個別に貼付され、かつ、それぞれの表面には当該各包装材が覆っている暦台紙側の日付を表す数字と同じ数字が表示されており、
前記暦台紙が、前記各包装材が内側となるように二つ折り又は三つ折り可能に形成された薬剤または健康補助食品用の保持具。
【請求項２】
所定期間の日付を表す数字が順番に記された暦台紙と、この暦台紙に脱離可能に保持され内部に薬剤または健康補助食品を収容した複数個の包装材とからなり、
前記各包装材が、前記暦台紙の各数字表示部分に当該各数字を覆うように個別に透明ポケットを介して保持され、かつ、それぞれの表面には当該各包装材が覆っている暦台紙側の日付を表す数字と同じ数字が表示されており、
前記暦台紙が、前記各包装材が内側となるように二つ折り又は三つ折り可能に形成された薬剤または健康補助食品用の保持具。
【請求項３】
前記暦台紙の日付を表す数字の近傍に、薬剤または健康補助食品の服用・摂取に関連した情報を表示した請求項１又は２記載の薬剤または健康補助食品用の保持具。
【発明の詳細な説明】
【０００１】
【発明の属する技術分野】
本発明は、薬剤（医薬品または医薬部外品）または健康補助食品（栄養補助食品）用の保持具に関する。
【０００２】
【従来の技術】
人は、病気になった場合には、薬剤（医薬品，医薬部外品）を服用して回復に努めるのが一般的である。同様に、犬・猫等の愛玩動物も、病気にかかった時には薬剤を飲まされることになる。
【０００３】
また、最近では、国民の健康志向の高まりに伴い様々な健康補助食品（栄養補助食品）が上市されており、健康維持のために健康補助食品（栄養補助食品）が摂取されることが多くなってきている。これらの薬剤または健康補助食品は、錠剤や顆粒状・粉末状あるいはカプセルや液体状とされており、多数日分が一つの袋や箱あるいは瓶に詰められている。
【０００４】
ここで、薬剤は、一度に大量に飲むものではなく、上記した袋・箱・瓶に表示された用法・用量に基き定期的（例えば毎日）に服用する必要がある。また、健康補助食品は、一般に薬剤よりも効き目が緩慢であるので、長期にわたって継続して摂取する必要がある。
【０００５】
【発明が解決しようとする課題】
ところで、薬剤等を服用し始めのころは、用法・用量を忠実に守っていても、身体の調子がよくなってくると、上記薬剤等を飲み忘れる日があったり、逆に予定通り飲んだのを忘れてしまい飲みすぎる日があったりしがちである。
【０００６】
特に、健康補助食品は、一般に摂取する種類や分量が多くて煩わしく、飲み忘れても身体の調子には悪影響をほとんど及ぼさないので、早い時期から飲み忘れしやすい。
【０００７】
そこで、従来、内部に所定用量の薬剤または健康補助食品が収容された包装材（袋等）を必要な数だけ台紙に貼付して成る保持具が種々提案されている。かかる保持具を目につきやすい箇所に置いておけば、飲み忘れ等が防止できることになる。しかし、この種の台紙は、多くの包装材を貼付するため大サイズとなる傾向にあり、運搬や保管がしにくい。また、運搬等する際に包装材に外部から衝撃力等が作用して内部の薬剤等が破損するおそれがある。
【０００８】
本発明の目的は、運搬や保管がしやすく薬剤または健康補助食品が衝撃等によって破損するのを効果的に防止できるとともに、薬剤または健康補助食品の飲み忘れや飲みすぎを防止するのに役立つ薬剤または健康補助食品用の保持具を提供することにある。
【０００９】
【課題を解決するための手段】
上記目的を達成するために、請求項１の発明は、所定期間の日付を表す数字が順番に記された暦台紙と、この暦台紙に脱離可能に保持され内部に薬剤または健康補助食品を収容した複数個の包装材とからなり、前記各包装材が、前記暦台紙の各数字表示部分に当該各数字を覆うように個別に貼付され、かつ、それぞれの表面には当該各包装材が覆っている暦台紙側の日付を表す数字と同じ数字が表示されており、前記暦台紙が、前記各包装材が内側となるように二つ折り又は三つ折り可能に形成されたものである。
【００１０】
上記請求項１の発明では、台紙を二つ折り又は三つ折りすれば大きさが１／２又は１／３程度となる。したがって、運搬や保管が容易となる。また、販売店などで場所を取らずに陳列できる。また、運搬や保管の際、各包装材は二つ折り又は三つ折りされた台紙の内側に位置するので、当該暦台紙が緩衝材の役目を果たすことになる。そのため、各包装材および当該包装材に収容された薬剤または健康補助食品が外部からの衝撃等によって破損するのを効果的に防止できる。
【００１１】
また、日常生活のなかで日付を知ることは重要であるが、当該日付を上記包装材の表面に表示された数字から、包装材が剥ぎ取られた後は暦台紙の各数字表示部分に表示された数字から確認することができる。
【００１２】
ここで、暦台紙の各数字表示部分に貼り付けられた各包装材の表面には、当該各包装材が覆っている暦台紙側の日付を表す数字と同じ数字が表示されているので、服用者（あるいは愛玩動物に飲ませる者）等にとっては当該包装材を残したままで、その日を終えることには心理的な抵抗が生じる。したがって、包装材を暦台紙から剥ぎ取って薬剤または健康補助食品を服用・摂取する強い動機付けとなり、薬剤等の飲み忘れが防止される。
【００１３】
また、包装材が暦台紙から剥ぎ取られていれば、その日の分は服用・摂取したことが一目瞭然であるので、薬剤または健康補助食品の飲みすぎも防止できる。さらに、本保持具を見て日付を確認する都度に、包装材の剥ぎ取り具合から薬剤等を規則正しく服用・摂取していることが示されるので、達成感を味わうことができ、薬剤等の定期的な服用等を続行する励みになる。
【００１４】
なお、包装材には、その日に服用すべき各種薬剤等が全て入っているので、服用者等が各種薬剤等の用量を一々調節する必要はなく、この点からも無理なく薬剤等を長期間にわたって服用等できる。
【００１５】
したがって、薬剤または健康補助食品の飲み忘れや飲みすぎを防止するのに役立つ。
【００１６】
請求項２の発明は、所定期間の日付を表す数字が順番に記された暦台紙と、この暦台紙に脱離可能に保持され内部に薬剤または健康補助食品を収容した複数個の包装材とからなり、前記各包装材が、当該暦台紙の各数字表示部分に当該各数字を覆うように個別に透明ポケットを介して保持され、かつ、それぞれの表面には当該各包装材が覆っている暦台紙側の日付を表す数字と同じ数字が表示されており、前記暦台紙が、前記各包装材が内側となるように二つ折り又は三つ折り可能に形成されたものである。
【００１７】
上記請求項２の発明では、請求項１記載の発明の場合と同様な作用・効果を奏する。また、透明ポケットは透き通っているので、当該ポケットに入れられた包装材を外から明瞭に見ることができるとともに、包装材が取り出された場合には暦台紙の数字表示部分を外から明瞭に見ることができる。
【００１８】
ここで、透明ポケットに入れられた包装材の表面には、当該各包装材が覆っている暦台紙側の日付を表す数字と同じ数字が表示されているので、服用者（あるいは愛玩動物に飲ませる者）等にとっては当該包装材を残したままで、その日を終えることには心理的な抵抗が生じる。したがって、包装材を暦台紙から剥ぎ取って薬剤または健康補助食品を服用・摂取する強い動機付けとなり、薬剤等の飲み忘れが防止される。
【００１９】
なお、包装材には、その日に服用すべき各種薬剤等が全て入っているので、服用者等が各種薬剤等の用量を一々調節する必要はなく、この点からも無理なく薬剤等を長期間にわたって服用等できる。
【００２０】
また、包装材が透明ポケットから取り出されていれば、その日の分は服用したことが一目瞭然であるので、薬剤または健康補助食品の飲みすぎも防止できる。したがって、薬剤または健康補助食品の飲み忘れや飲みすぎを防止するのに役立つ。また、包装材を透明ポケットに入れて保持する形式であるので、重かったり形状等の関係で暦台紙に貼付しにくい包装材であっても利用できる。
【００２１】
請求項３の発明は、前記暦台紙の日付を表す数字の近傍に、薬剤または健康補助食品の服用・摂取に関連した情報を表示したものである。
【００２２】
上記請求項３の発明の場合、請求項１又は２記載の発明の場合と同様な作用・効果を奏する。また、暦台紙から包装材を剥ぎ取れば、その下側に表示された日付を表す数字の他に薬剤等の服用・摂取に関連した情報（励ましの言葉や服用・摂取期間終了まであと何日の表記、身体のチェック事項、あるいはマークやキャラクタ等）を見ることができる。これにより、包装材を暦台紙から剥ぎ取る楽しみが一段と増えるとともに、定期的に服用・摂取する励みにもなる。したがって、薬剤または健康補助食品の飲み忘れを一段と確実に防止できる。
【００２３】
【発明の実施の形態】
以下、本発明の実施形態を図面を参照して説明する。
【００２４】
本発明に係る薬剤または健康補助食品用の保持具は、図１（Ａ）,（Ｂ）,（Ｃ）に示すように、台紙（１１）と、この台紙（１１）に脱離可能に保持され内部に健康補助食品（３１）を収容した複数個の包装材（２１）とからなり、当該台紙（１１）が、各包装材（２１）が内側となるように二つ折り又は三つ折り可能に形成されたものである。
【００２５】
この実施形態では、上記した台紙は、所定期間の日付を表す数字が順番に記された暦台紙１１から成る。暦台紙１１は、厚手のダンボール紙から形成されており、その表面１３には１ヶ月分の日付を表す数字（例えば、１〜３１）が順番に記されている。たとえば、数字「３」は、その月の第３日目（すなわち、３日）を表す。ここで、図１では、日付を表す数字は、「１」から始まっているが、途中の日付を表す数字（例えば、第１５日目を表す数字「１５」）から始まってもよい。
【００２６】
この暦台紙１１の長手方向〔図１（Ａ），（Ｂ）中上下方向〕中央部には、二本の直線状の折り曲げ部（１０１，１０１）が所定間隔Ｌ２（この実施形態では、長さＬ２＝２０ｍｍ））だけ離れて設けられており、当該両折り曲げ部（１０１，１０１）で暦台紙１１を内側に９０°折り曲げることにより、当該暦台紙１１が二つ折りされる構成とされている。
【００２７】
特に、この実施形態では、暦台紙１１が、二つ折りされた場合に表面寸法が既存の規格寸法（例えば日本工業規格のＡ列４番、いわゆるＡ４サイズ〕となるように形成されている。より具体的には、図１（Ａ）で、暦台紙１１の縦寸法Ｌ０は、Ｌ１＋Ｌ２＋Ｌ３＝２１０ｍｍ＋２０ｍｍ＋２１０ｍｍ＝４４０ｍｍ）とされている。また、暦台紙１１の横方向寸法Ｌ５は、２９７ｍｍとされている。
【００２８】
なお、図１（Ａ），（Ｂ），（Ｃ）において、１０５は間隔保持部材で、二つ折りされた暦台紙１１の対向する面の間隔がより一層確実に保持されるように補助する役目を果たす。これにより、二つ折りされた暦台紙１１の対向する面に張り付けられた包装袋２１が破損するのをより一層確実に防止できる。
【００２９】
次に、各包装材は、暦台紙１１の各数字表示部分１２に当該各数字を覆うように貼り付けられている。この実施形態では、包装材として、図２に示すように、各種の健康補助食品３１を収容・密封する袋（包装袋２１）が使用されている。各包装袋２１の表面には、当該各袋２１が覆っている暦台紙１１側の日付を表す数字と同じ数字が表示されている。例えば、上記「３」の数字が表示された暦台紙１１部分には、表面に「３」の数字が表示された包装袋２１が剥ぎ取り可能に接着剤を用いて貼付されている。
【００３０】
接着剤としては、一度剥がしたら接着力が消失するものが使用されている。これにより、暦台紙１１から剥ぎ取った包装袋２１は元の位置に戻すことができなくなり、この点も健康補助食品３１の摂取への強い動機付けとなる。
【００３１】
なお、両面テープやプラスチック磁石等を利用して包装袋２１を暦台紙１１に貼付することも可能である。この実施形態では、健康補助食品３１として、各種のダイエット食品が選定されている。
【００３２】
ここで、上記暦台紙１１に、図７（Ａ），（Ｂ）に示すように、曜日がわかるような表記をしてもよい。なお、図７（Ａ），（Ｂ）に示す保持具では、更に曜日が変更可能に形成されている。すなわち、曜日を表す曜日表示部４１は、ループ状とされており、暦台紙１１の上方部分に開けられたスリット（１５，１６）を介して旋回可能とされている。そして、曜日表示部４１の外周部には、所定間隔で各曜日〔月曜日（Ｍｏｎ）〜日曜日（Ｓｕｎ）〕が記されている。したがって、曜日表示部４１を適宜旋回することにより曜日を簡単に変更できる。
【００３３】
上記構成の保持具では、暦台紙１１を図１（Ｃ）中実線で示すように二つ折りすれば、大きさが約１／２となる。すなわち、占有スペースを小さくできる。また、図１１に示すように、複数の暦台紙１１を隙間無く整然と並べることができる。これにより、販売店などで複数の暦台紙１１を場所を取らずに陳列できる。
【００３４】
同様に、運搬や保管が一段と容易となる。特に、複数の暦台紙１１は大きさが揃っているので、図１０に示すように、包装紙１０７でしっかり包むことができ、運搬時に暦台紙１１が位置ずれして包装紙１０７を破ってしまうようなことはない。
【００３５】
また、運搬や保管の際、各包装袋２１は二つ折りされた暦台紙１１の内側に位置するので、当該暦台紙１１が緩衝材の役目を果たすことになる。したがって、各包装袋２１や当該各袋２１に収容された健康補助食品３１が外部からの衝撃等によって破損するのを一段と確実に防止することができる。
【００３６】
なお、上記暦台紙１１を、図１２（Ａ）,（Ｂ）に示すように、各包装袋２１が内側となるように三つ折り可能に形成してもよい。かかる場合にも、上記した二つ折りの場合と同様な効果を奏する。
【００３７】
また、暦台紙１１が二つ折りされた場合の表面寸法が既存の規格寸法（ここではＡ４サイズ）であるので、他の同一サイズ（Ａ４サイズ）のノートやクリヤファイルなどと一緒に違和感なく保管できる。
【００４３８】
なお、上記実施形態では、暦台紙１１を二つ折りされた場合に表面寸法がＡ４サイズとなるように形成したが、これに限定されるものではなく、例えばレターサイズ（２１６×２８０ｍｍ）やＢ４サイズ（２５７×３６４ｍｍ）としてもよい。
【００３９】
また、暦台紙１１に貼り付けられた各包装袋２１の表面２３には、当該各包装袋２１が覆っている暦台紙１１側の日付を表す数字と同じ数字が表示されているので、摂取者（あるいは愛玩動物に飲ませる者）にとっては当該包装袋２１を残したままで、その日を終えることには心理的な抵抗が生じる。したがって、包装袋２１を暦台紙１１から剥ぎ取って摂取する強い動機付けとなり、健康補助食品３１の飲み忘れが防止される。
【００４０】
なお、包装袋２１には、その日に摂取すべき各種健康補助食品３１が全て入っているので、摂取者等が各種健康補助食品３１の用量を一々調節する必要はなく、この点からも無理なく各種健康補助食品３１を長期間にわたって摂取できる。
【００４１】
また、包装袋２１が暦台紙１１から剥ぎ取られていれば、その日の分は摂取したことが一目瞭然であるので、飲みすぎも防止できる。したがって、健康補助食品３１の飲み忘れや飲みすぎを防止するのに役立つ。
【００４２】
なお、上記実施形態では、包装袋２１を暦台紙１１に貼付したが、図８（Ａ），（Ｂ）に示すように  透明ポケット８１を介して暦台紙１１の各数字表示部分１２に保持してもよい。透明ポケット８１は、上部開口部８２を有しており、当該上部開口部８２を介して包装袋２１を中に入れて保持可能とされている。この透明ポケットは、透き通っていれば無色でなくとも色付きでもよい。
【００４３】
ここで、図８（Ａ），（Ｂ）に示す保持具は、暦台紙１１の各数字表示部分１２に当該各数字を覆うように個別に透明ポケット８１を介して保持されかつ内部に健康補助食品３１を収容・密閉した各包装袋２１を含み、各包装袋２１の表面２３に、当該各包装袋２１が覆っている暦台紙１１側の日付を表す数字と同じ数字を表示した構成とされている。
【００４４】
かかる保持具の場合、透明ポケット８１は透き通っているので、当該ポケット８１に入れられた包装袋２１を外から明瞭に見ることができるとともに、包装袋２１が取り出された場合には暦台紙１１の数字表示部分１２を外から明瞭に見ることができる。
【００４５】
ここで、透明ポケット８１に入れられた包装袋２１の表面２３には、暦台紙１１側に記された日付（数字）と同じ数字（例えば、「７」）が表示されているので、摂取者等にとっては当該包装袋２１を残したままで、その日（７日）を終えることには心理的な抵抗が生じる。したがって、包装袋２１を透明袋８１から取り出して健康補助食品３１を摂取する強い動機付けとなり、健康補助食品３１の飲み忘れが防止される。
【００４６】
なお、包装袋２１には、その日に摂取すべき各種健康補助食品３１が全て入っているので、摂取者等が各種食品３１等の用量を一々調節する必要はなく、この点からも無理なく健康補助食品３１を長期間にわたって摂取できる。
【００４７】
また、包装袋２１が透明ポケット８１から取り出されていれば、その日の分は摂取したことが一目瞭然であるので、健康補助食品３１の飲みすぎも防止できる。したがって、健康補助食品３１の飲み忘れや飲みすぎを防止するのに役立つ。また、包装袋２１を透明ポケット８１に入れて保持する形式であるので、重かったり形状等の関係で暦台紙１１に貼付しにくい包装袋であっても利用できる。
【００４８】
ここにおいて、上記した暦台紙１１の日付を表す数字の近傍に、健康補助食品３１の摂取に関連した情報を表示してもよい。かかる情報としては、図３に示す服用者等を励ます言葉やアドバイス、図４および図８（Ａ）に示すマーク（にこにこマーク等）、図５に示す摂取期間満了まであと何日の表示、体のチェック項目（図示省略）等がある。
【００４９】
上記構成により、暦台紙１１から包装袋２１を取り去れば、当該包装袋２１が覆っていた暦台紙１１側の日付を表す数字の他に健康補助食品３１の摂取に関連した情報（励ましの言葉等）を見ることができる。これにより、包装袋２１を暦台紙１１から取り去る楽しみが一段と増えるとともに、定期的に摂取する励みにもなる。したがって、健康補助食品３１の飲み忘れを一段と確実に防止できるとともに飲みすぎを防止するのに役立つ。
【００５０】
なお、上記実施形態では、暦台紙１１に１ヶ月分の日付を表す数字を記したが、これに限定されるものではなく、例えば２週間分の日付を表す数字を表記したり、２日おきの数字を表記してもよい。
【００５１】
また、包装材を図６に示すポーション２１Ａから形成してもよい。図６では、ポーション２１Ａの底部が暦台紙１１の各数字表示部分１２に接着剤等を用いて貼付され、かつその上部表面２３Ａに下側の覆っている数字（日付）と同じ数字が表記されている。
【００５２】
また、暦台紙１１を厚手のダンボール紙から形成したが、これに限定されるものではなく、廃プラスチック材や廃パルプ材（再生紙）などを原料として形成してもよい。
【００５３】
また、図１（Ａ）,（Ｂ）中２点鎖線で示すように、壁などに掛けやすいように、暦台紙１１の上部中央部分にピン（画鋲）通し用の穴７２を設けたり、冷蔵庫のドア部分等に吸着できるように、当該暦台紙１１の上部裏面の両端部分に磁石７１を取りつけてもよい。
【００５４】
さらに、上記実施形態においては、包装袋２１（ポーション２１Ａ）に健康補助食品を収容したが、これに限定されるものではなく、健康補助食品の代わりに薬剤（医薬品，医薬部外品）を収容してもよい。包装袋２１（ポーション２１ａ）に、定期的に使用する化粧品を収容することも可能である。
【００５５】
さらにまた、暦台紙１１（または暦カード１１Ａ）の各数字表示部分に貼付する包装袋２１も１個に限るものではなく、複数個でもよい。例えば、１日３回服用・摂取する場合には、図９に示すように、包装袋２１を３個暦台紙１１（１１Ａ）の同一部分に貼付するようにしてもよい。この場合、３個の包装袋２１の表面部分２３に第１回目（朝用）、第２回目（昼用）、第３回目（夜用）を示すマークなどを付してもよい。
【００５６】
【発明の効果】
請求項１の発明によれば、暦台紙を、各包装材が内側となるように二つ折り又は三つ折り可能に形成したので、運搬や保管が容易となる。また、販売店などで場所を取らずに陳列できる。また、運搬や保管の際、包装材は二つ折り又は三つ折りされた台紙の内側に位置するので、当該暦台紙が緩衝材の役目を果たすことになる。そのため、包装材や当該各包装材に収容された薬剤または健康補助食品が外部からの衝撃等によって破損するのを効果的に防止できる。また、各包装材が当該暦台紙の各数字表示部分に当該各数字を覆うように個別に貼付され、かつ、それぞれの表面には当該各包装材が覆っている暦台紙側の日付を表す数字と同じ数字が表示されているので、薬剤または健康補助食品の飲み忘れや飲みすぎを防止できる。
【００６７】
請求項２の発明によれば、各包装材が、当該暦台紙の各数字表示部分に当該各数字を覆うように個別に透明ポケットを介して保持され、かつ、それぞれの表面には当該各包装材が覆っている暦台紙側の日付を表す数字と同じ数字が表示されており、暦台紙が、各包装材が内側となるように二つ折り又は三つ折り可能に形成されているので、請求項１記載の発明の場合と同様な効果を奏する。また、包装材を透明ポケットに入れて保持する形式であるので、重かったり形状等の関係で暦台紙に貼付しにくい包装材であっても利用できる。
【００５８】
請求項３の発明によれば、暦台紙の日付を表す数字の近傍に、薬剤または健康補助食品の服用・摂取に関連した情報を表示したので、請求項１又は２記載の発明の場合と同様な効果を奏する他、暦台紙から包装材を剥ぎ取れば、その下側に表示された日付を表す数字の他に薬剤等の服用・摂取に関連した情報を見ることができる。これにより、包装材を暦台紙から剥ぎ取る楽しみが一段と増えるとともに、定期的に服用・摂取する励みにもなる。したがって、薬剤または健康補助食品の飲み忘れを一段と確実に防止できる。
【図面の簡単な説明】
【図１】本発明の実施形態を説明するための図である。
【図２】同じく、包装袋を説明するための縦断面図である。
【図３】同じく、暦台紙の数字表示部分を説明するための図である。
【図４】同じく、暦台紙の数字表示部分にマークを付記した状態を示す図である。
【図５】同じく、暦台紙の数字表示部分に残り日数を付記した状態を示す図である。
【図６】同じく、包装材の変形例を説明するための図である。
【図７】同じく、曜日表示部を説明するための図である。
【図８】同じく、透明ポケットを説明するための図である。
【図９】同じく、３個の包装袋を同一暦台紙箇所に貼付した状態を示す図である。
【図１０】同じく、二つ折りされた暦台紙を２個包装紙で包んだ状態を説明するための図
である。
【図１１】同じく、二つ折りされた暦台紙を複数個隙間無く並べた図である。
【図１２】同じく、三つ折りされた暦台紙を示す図である。
【符号の説明】
１１    暦台紙
１２    数字表示部分
１５，１６  スリット
２１    包装袋（包装材）
２１Ａ  ポーション（包装材）
２３，２３Ａ  表面
３１    健康補助食品
８１    透明ポケット
【図１】
0003554980.tif 000002
【図２】
0003554980.tif 000003
【図３】
0003554980.tif 000004
【図４】
0003554980.tif 000005
【図５】
0003554980.tif 000006
【図６】
0003554980.tif 000007
【図７】
0003554980.tif 000008
【図８】
0003554980.tif 000009
【図９】
0003554980.tif 000010
【図１０】
0003554980.tif 000011
【図１１】
0003554980.tif 000012
【図１２】
0003554980.tif 000013